(57)【特許請求の範囲】
【請求項１】
板紙にポリエチレン樹脂を使用した押出しラミネートにより全面に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、
前記ウェッブコーナー部を外面に貼り合せた前記側板以外の側板に、貼合された前記汚れ防止用フィルムを剥がし始めるための剥離開始手段を設けたことを特徴とするウェッブコーナー型紙容器。
【請求項２】
板紙にポリエチレン樹脂を使用した押出しラミネートにより全面に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、
前記ウェッブコーナー部を外面に貼り合せた前記側板以外の側板に延長片を連設し、該延長片に、貼合された前記汚れ防止用フィルムを剥がし始めるための剥離開始手段を設けたことを特徴とするウェッブコーナー型紙容器。
【請求項３】
前記剥離開始手段が、前記側板の上縁部に前記汚れ防止用フィルム以外の層に切れ目線を入れて形成した摘み部又は押し込み部を設けたことであることを特徴とする請求項１又は２に記載のウェッブコーナー型紙容器。
【請求項４】
前記剥離開始手段が、前記側板の上辺に突出摘み部を設けたことであることを特徴とする請求項１又は２に記載のウェッブコーナー型紙容器。
【請求項５】
前記突出摘み部と前記側板との境界線が、前記汚れ防止用フィルム以外の層に切れ目線を入れて形成されていることを特徴とする請求項４に記載のウェッブコーナー型紙容器。
【請求項６】
前記突出摘み部が、前記汚れ防止用フィルムのみで形成されていることを特徴とする請求項４に記載のウェッブコーナー型紙容器。
【請求項７】
前記剥離開始手段が、前記側板の上部に前記汚れ防止用フィルム以外の層に切り欠けを設け、前記汚れ防止用フィルムを摘むための部分を一部露出させてフィルム摘み部を設けたことであることを特徴とする請求項１又は２に記載のウェッブコーナー型紙容器。
【請求項８】
前記剥離開始手段が、前記側板の上部に前記汚れ防止用フィルム以外の層に切0り込みを設け、前記汚れ防止用フィルムを押し剥がすための部分を一部露出させてフィルム押し込み部を設けたことであることを特徴とする請求項１又は２に記載のウェッブコーナー型紙容器。
【請求項９】
前記剥離開始手段が、前記側板の上部内面に前記汚れ防止用フィルムを剥がすための剥離用テープを貼付したことであることを特徴とする請求項１又は２に記載のウェッブコーナー型紙容器。
【請求項１０】
前記ウェッブコーナー部を外面に貼り合せた前記側板の上辺から下辺の両端まで斜め折れ線が設けられていることを特徴とする請求項１乃至９のいずれかに記載のウェッブコーナー型紙容器。
【発明の詳細な説明】
【技術分野】
【０００１】
本発明は、リサイクルに対応した液漏れ防止機能のあるウェッブコーナー型紙容器に関するものである。
【背景技術】
【０００２】
従来、揚げたてのフライドチキン等、たれ、肉汁、ソース類等を伴う調理食品、冷凍食品等の紙容器には、四隅からの油、調味料、肉汁等の液漏れを防止するように四隅を４隅を外側に折り込んだウェッブ（みずかき）コーナー型の紙容器が使用されている。このウェッブコーナー型紙容器では、４隅を外側に折り込んだウェッブコーナー部は、紙容器の側板の外面に貼り合わされて固定されている。
【０００３】
調味料や油が付着した食品、煮汁のでる食品、あるいは電子レンジ調理冷凍食品用としては、一般に紙とその内面にコートされたポリエチレン等の汚れ防止用フィルムからなる積層体を材料とするウェッブコーナー型紙容器が使用されており、この汚れ防止フィルムによって、紙面に内容物が付着したり、あるいは内容物が紙面に付着したものにより汚染されることを防止している。
【０００４】
また、近年、環境問題が大きな問題となっており、自然環境を守ろうとする意識が高まっている。特に、廃棄物の処理の問題は大きく、出来るだけ材料を少なく使用する省資源化、そして資源の再使用であるリサイクル等での対応が、求められている。このような背景のもとに、包装に使用される容器を廃棄する時には出来るだけ材料を紙とプラスチック等のように分別することが望まれている。
【０００５】
この環境問題に対応して、廃棄時にウェッブコーナー型紙容器を紙と汚れ防止フィルムに分離してその紙を再資源化するために、紙製のウェッブコーナー型紙容器の内面に、汚れ防止用フィルムが剥離可能に貼合された積層体を材料とした形態が提案されている。しかし、このような形態のウェッブコーナー型紙容器においても、消費者は内容物である食品を食した後、汚れ防止用フィルムを引き剥がさずに廃棄する場合が少なくなかった。この剥離可能な汚れ防止用フィルムを消費者が引き剥がせるように、紙の内面に汚れ防止用フィルムを部分的に貼り合せた形状のウェッブコーナー型紙容器も提案されている（例えば、特許文献１参照。）。
【特許文献１】特開２００１−３２８６２２号公報
【発明の開示】
【発明が解決しようとする課題】
【０００６】
しかしながら、上記のウェッブコーナー型紙容器では、汚れ防止用フィルムを紙の内面に部分的に要所要所を見当を合わせて貼り合わせる加工は、極めて加工難度が高くコストが高くなる傾向にある。従って、原材料の段階で紙の内面に全面的に貼り合せる方法が好ましいが、この場合には、貼り合わせた汚れ防止用フィルムが剥がしにくくなり、特に、使用した後に剥離可能な汚れ防止用フィルムを剥がす方法が定まっていないため、剥がし始めるきっかけが分かりにくい上、剥がし方によっては途中で汚れ防止用フィルムが切れる等して、汚れ防止用フィルムを剥がし損なうことが少なくなかった。また、うまく剥がそうとしても、特に、汚れ防止用フィルムが強く接着されていると、剥がし損なうことが多かった。さらに、汚れ防止用フィルムが弱く接着されていても、接着部分の面積が広いと剥がしにくく、剥がすきっかけがないまま無理に剥がそうとすると、紙ムケを起こして失敗することが多かった。
【０００７】
本発明は、内面に汚れ防止用フィルムが剥離可能に貼合されたウェッブコーナー型紙容器において、使用後に、組み立てた状態のままで、誰もが、容易に、かつ、確実に汚れ防止用フィルムを剥がすことが可能なウェッブコーナー型紙容器を提供することを目的とするものである。
【課題を解決するための手段】
【０００８】
前記課題を解決するためになされた本発明は、板紙に全面に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、前記ウェッブコーナー部を外面に貼り合せた前記側板以外の側板に、貼合された前記汚れ防止用フィルムを剥がし始めるための剥離開始手段を設けたことを特徴とするウェッブコーナー型紙容器であり、前記剥離開始手段が、前記側板の上縁部に前記汚れ防止用フィルム以外の層に切れ目線を入れて形成した摘み部を設けたこと、前記側板の上部に前記汚れ防止用フィルム以外の層に切れ目線を入れて形成した押し込み部を設けたこと、前記側板の上辺に突出摘み部を設けたこと、前記側板の上部に前記汚れ防止用フィルム以外の層に切り欠けを設け、前記汚れ防止用フィルムを摘むための部分を一部露出させてフィルム摘み部を設けたこと、前記側板の上部に前記汚れ防止用フィルム以外の層に切り込みを設け、前記汚れ防止用フィルムを押し剥がすための部分を一部露出させてフィルム押し込み部を設けたこと、そして、前記側板の上部内面に前記汚れ防止用フィルムを剥がすための剥離用テープを貼付したことであることを特徴とするものである。
【０００９】
また、板紙に全面に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、前記ウェッブコーナー部を外面に貼り合せた前記側板以外の側板に延長片を連設し、該延長片に、貼合された前記汚れ防止用フィルムを剥がし始めるための剥離開始手段を設けたことを特徴とするウェッブコーナー型紙容器であり、前記剥離開始手段が、前記側板の上縁部に前記汚れ防止用フィルム以外の層に切れ目線を入れて形成した摘み部を設けたこと、前記側板の上部に前記汚れ防止用フィルム以外の層に切れ目線を入れて形成した押し込み部を設けたこと、前記剥離開始手段が、前記側板の上辺に突出摘み部を設けたこと、前記側板の上部に前記汚れ防止用フィルム以外の層に切り欠けを設け、前記汚れ防止用フィルムを摘むための部分を一部露出させてフィルム摘み部を設けたこと、前記側板の上部に前記汚れ防止用フィルム以外の層に切り込みを設け、前記汚れ防止用フィルムを押し剥がすための部分を一部露出させてフィルム押し込み部を設けたこと、そして、前記側板の上部内面に前記汚れ防止用フィルムを剥がすための剥離用テープを貼付したことであることを特徴とするものである。
【００１０】
さらに、上記ウェッブコーナー型紙容器において、前記ウェッブコーナー部を外面に貼り合せた前記側板の上辺から下辺の両端まで斜め折れ線が設けられていることを特徴とするものである。
【発明の効果】
【００１１】
本発明によれば、内面に汚れ防止用フィルムが剥離可能に貼合されたウェッブコーナー型紙容器において、側板の上縁に、内面に貼合された汚れ防止用フィルムを剥がし始めるための剥離開始手段を設けることにより、消費者は本発明のウェッブコーナー型紙容器を使用した後に、容易にこの側板に設けられた剥離開始手段から汚れ防止用フィルムを剥がし始めることができるという効果を有している。
【００１２】
また、ウェッブコーナー部を外側に折り込んで外面に貼り合せて固定していない側板の上縁の略中央部に、内面に貼合された汚れ防止用フィルムを剥がし始めるための剥離開始手段を設けることにより、消費者は本発明のウェッブコーナー型紙容器を使用した後に、このウェッブコーナー部を外側に折り込んで外面に貼り合せて固定していない側板に設けられた剥離開始手段から汚れ防止用フィルムを剥がすことにより、組み立てた状態のまま、誰もが、容易に、かつ、確実に汚れ防止用フィルムを剥がすことができるという効果を有している。
また、汚れ防止用フィルムの接着強度や接着面積に影響されずに容易に剥がせるという効果を有している。
【００１３】
さらに、ウェッブコーナー部が外側に折り込んで外面に貼り合わされている対向する一対の側板に、上辺から下辺の両端に至る二本の斜め折れ線をそれぞれ設け、本発明のウェッブコーナー型紙容器を使用した後に、汚れ防止用フィルムを剥離開始手段の部分から剥がす時、この斜め折れ線で側板を外側に膨らむように折り曲げることにより、汚れ防止用フィルムをウェッブコーナー型紙容器からより容易に剥がすことができるという効果を有するものである。
【発明を実施するための最良の形態】
【００１４】
以下、本発明のウェッブコーナー型紙容器の実施形態について、図面に基づいて詳細に説明する。図１は本発明のウェッブコーナー型紙容器の一実施形態を示す斜視図であり、図２は本発明のウェッブコーナー型紙容器を使用後に処理する方法を説明する部分拡大図であり、図３は本発明のウェッブコーナー型紙容器の一実施形態のブランクを示す展開図であり、図４は本発明のウェッブコーナー型紙容器の別の実施形態を示す斜視図であり、図５は本発明のウェッブコーナー型紙容器のさらに別の実施形態を示す斜視図であり、図６は本発明のウェッブコーナー型紙容器のさらに別の実施形態のブランクを示す展開図であり、図７は本発明のウェッブコーナー型紙容器のさらに別の実施形態を示す斜視図であり、図８は本発明のウェッブコーナー型紙容器のさらに別の実施形態のブランクを示す展開図であり、図９は本発明のウェッブコーナー型紙容器のさらに別の実施形態を示す斜視図であり、図１０は本発明のウェッブコーナー型紙容器のさらに別の実施形態を示す斜視図であり、図１１は本発明のウェッブコーナー型紙容器のさらに別の実施形態を示す斜視図であり、図１２は図１１の本発明のウェッブコーナー型紙容器のブランクを示す展開図であり、図１３は本発明のウェッブコーナー型紙容器のさらに別の実施形態を示す斜視図であり、図１４は図１３の本発明のウェッブコーナー型紙容器のブランクを示す展開図であり、図１５は本発明のウェッブコーナー型紙容器のさらに別の実施形態を示す斜視図であり、そして、図１６は本発明のウェッブコーナー型紙容器の組み立て工程を説明する部分拡大図である。
【００１５】
図１は、本発明によるウェッブコーナー型紙容器の一実施形態を示す斜視図である。本発明によるウェッブコーナー型紙容器Ａは、内面に汚れ防止用フィルムが剥離可能に貼合されており、図１に示すように、外見形状は、概ね通常のウェッブコーナー型紙容器と同様であり、矩形の底板１１の一対の対向する辺から側板１２、１２が、もう一対の対向する辺から側板１３、１３が起立し、対向する一対の側板１２、１２の一つの側板１２の上辺には蓋板１６および差し込み片１７を連設し、他の対向する一対の側板１３、１３にはそれぞれ延長片１８、１８を設けている。また、隣接した側板同士をウェッブコーナー部Ｗで連結し、そのウェッブコーナー部Ｗを外側に折り込んで対向する一対の側板１３、１３側に折り曲げ、側板１３、１３の外面に貼り合せて固定している。
【００１６】
さらに、本発明によるウェッブコーナー型紙容器Ａでは、ウェッブコーナー部Ｗを外側に折り込んで外面に貼り合せて固定していない対向する一対の側板１２、１２の一つの側板１２の上縁の略中央部に内面に貼合された汚れ防止用フィルムを剥がし始めるための剥離開始手段Ｐを設けている。この剥離開始手段Ｐは、汚れ防止用フィルム以外の層にミシン目による切れ目線ｐを入れて半円形状に形成した摘み部Ｐ１であり、この摘み部Ｐ１を設けることにより、消費者は本発明のウェッブコーナー型紙容器Ａを使用した後に、容易に汚れ防止用フィルムをこの摘み部Ｐ１から剥がし始めることができる。さらに、このウェッブコーナー部Ｗを外側に折り込んで外面に貼り合せて固定していない一つの側板１２の上縁の略中央部に設けられた摘み部Ｐ１から汚れ防止用フィルムを剥がすことにより、誰もが、容易に、かつ、確実に汚れ防止用フィルムを剥がすことができる。
【００１７】
このウェッブコーナー部Ｗを外側に折り込んで外面に貼り合せて固定していない一つの側板１２から汚れ防止用フィルムを剥がすことにより、容易に、かつ確実に汚れ防止用フィルムを剥がすことができる理由としては、ウェッブコーナー部Ｗを外側に折り込んで外面に貼り合せて固定している側板１３の上縁から汚れ防止用フィルムＦを剥がし始めた場合、図２−ａに示すように、コーナー部Ｋでの抵抗する力が大きく汚れ防止用フィルムＦが切れてしまうことが多いのに比べて、一つの側板１２の上縁から汚れ防止用フィルムＦを剥がし始めた場合、図２−ｂに示すように、ウェッブコーナー部Ｗの内面が剥がれることによりコーナー部Ｋでの抵抗する力が小さく汚れ防止用フィルムＦが切れることがなく確実に剥がすことができる。
【００１８】
図３−ａは、本発明のウェッブコーナー型紙容器のブランクを示す展開図である。ブランク１０Ａは、矩形の底板１１の上下に一対の対向する辺に折れ線ａ、ａを介して側板１２、１２を設け、左右にもう一対の対向する辺に折れ線ｂ、ｂを介して側板１３、１３を設けている。側板１２、１２の両側辺には放射状折れ線ｃ、ｃ、ｃ、ｃを介してそれぞれ三角形の折り込み片１４、１４、１４、１４を連設し、側板１３、１３の両側辺には放射状折れ線ｄ、ｄ、ｄ、ｄを介してそれぞれ三角形の折り込み片１５、１５、１５、１５を連設し、隣接する折り込み片同士を放射状折れ線ｅで連設し、この折り込み片同士を連接した部分をウェッブコーナー部Ｗとしている。また、対向する一対の側板１２、１２の一つに側板１２の上辺には折れ線ｆを介して蓋板１６を連設し、その蓋板１６の上辺には折れ線ｇを介して差し込み片１７を連設し、他の対向する一対の側板１３、１３の外側の辺には折れ線ｈ、ｈを介してそれぞれ延長片１８、１８を連設している。この延長片１８、１８は必ずしも設ける必要はないが、保形性をよくするために設けることが好ましい。
【００１９】
さらに、本発明によるウェッブコーナー型紙容器Ａでは、ウェッブコーナー部Ｗを外側に折り込んで外面に貼り合せて固定していない一方の側板１２の上縁の略中央部に内面に貼合された汚れ防止用フィルムを剥がし始めるための剥離開始手段Ｐとして摘み部Ｐ１を設けている。この摘み部Ｐ１は、図３−ｂの部分断面図に示すように汚れ防止用フィルムＦ以外の層にミシン目による切れ目線ｐを半円形状に入れて形成している。この摘み部Ｐ１を設けることにより、切れ目線ｐで摘み部Ｐ１の汚れ防止用フィルムＦ以外の層を破り汚れ防止用フィルムＦを剥がしやすくすることができる。この切れ目線ｐは、汚れ防止用フィルムＦ以外の層にミシン目以外に切れ刃等で入れることができる。
【００２０】
図４は、本発明によるウェッブコーナー型紙容器の別の実施形態を示す斜視図である。本発明によるウェッブコーナー型紙容器Ａ′は、ウェッブコーナー型紙容器Ａと同一のブランク１０から組み立てることができ、内面に汚れ防止用フィルムが剥離可能に貼合されており、矩形の底板１１の一対の対向する辺から側板１２、１２が、もう一対の対向する辺から側板１３、１３が起立し、対向する一対の側板１２、１２の一つの側板１２の上辺には蓋板１６および差し込み片１７を連設し、他の対向する一対の側板１３、１３にはそれぞれ延長片１８、１８を設けている。また、隣接した側板同士をウェッブコーナー部Ｗで連結し、そのウェッブコーナー部Ｗを外側に折り込んで蓋板１６を連設している側板１２の外面と側板１３、１３の外面に貼り合せて固定している。
【００２１】
さらに、本発明によるウェッブコーナー型紙容器Ａ′では、ウェッブコーナー部Ｗを外側に折り込んで外面に貼り合せて固定していない側板１２の上縁の略中央部に内面に貼合された汚れ防止用フィルムを剥がし始めるための剥離開始手段Ｐとして摘み部Ｐ１を設けている。この摘み部Ｐ１を設けることにより、消費者は本発明のウェッブコーナー型紙容器Ａ′を使用した後に、このウェッブコーナー部Ｗを外側に折り込んで外面に貼り合せて固定していない側板１２の摘み部Ｐ１から汚れ防止用フィルムを剥がすことにより、誰もが、容易に、かつ、確実に汚れ防止用フィルムを剥がすことができる。このウェッブコーナー型紙容器Ａ′の形態では、ウェッブコーナー部Ｗを外側に折り込んで外面に貼り合せて固定していない側板１２から汚れ防止用フィルムを剥がし始めて、この側板１２に隣接するウェッブコーナー部Ｗの汚れ防止用フィルムを剥がすことが容易にでき、さらに、蓋板１６を連設している側板１２の外面に貼り合せたウェッブコーナー部Ｗにおいても、汚れ防止用フィルムをより容易に剥がすことができる。
【００２２】
図５−ａは、本発明によるウェッブコーナー型紙容器の別の実施形態を示す斜視図である。本発明によるウェッブコーナー型紙容器Ｂは、ウェッブコーナー型紙容器Ａと同様の形状であり、そして、図５に示すように、ウェッブコーナー部Ｗを外側に折り込んで外面に貼り合せて固定していない対向する一対の側板１２、１２の一つの側板１２の上縁の略中央部に内面に貼合された汚れ防止用フィルムを剥がし始めるための剥離開始手段Ｐを設けている。この剥離開始手段Ｐは、ウェッブコーナー型紙容器Ａと異なり、図５−ｂの部分断面図に示すように、汚れ防止用フィルムＦ以外の層に切り欠けを設け、汚れ防止用フィルムＦを摘むための部分を一部露出させた摘み部Ｐ２としている。この切り欠けの形状は、半円形に限定されるものではなく、半長円形、三角形、四角形等でもよい。この摘み部Ｐ２を設けることにより、ウェッブコーナー型紙容器Ａと同様に、消費者は本発明のウェッブコーナー型紙容器Ｂを使用した後に、この摘み部Ｐ２から汚れ防止用フィルムを剥がし始めることができ、組み立てた状態のまま、誰もが、容易に、かつ、確実に剥がすことができる。
【００２３】
図６は、本発明によるウェッブコーナー型紙容器のさらに別の実施形態を示す斜視図である。本発明によるウェッブコーナー型紙容器Ｃは、ウェッブコーナー部Ｗを外側に折り込んで外面に貼り合せて固定していない側板１２の上辺の略中央部に内面に貼合された汚れ防止用フィルムを剥がし始めるための剥離開始手段Ｐとして突出摘み部Ｐ３を設けている。この突出摘み部Ｐ３は、指で摘まみ易いように略半円形、三角形、四角形等の形状とする。また、突出摘み部Ｐ３と側板１２との境界線いは汚れ防止用フィルムＦ以外の層にミシン目による切れ目線ｐが入れられている。この切れ目線ｐは、汚れ防止用フィルムＦ以外の層にミシン目以外に切れ刃等で入れることができる。また、この突出摘み部Ｐ３は汚れ防止用フィルムのみとしてもよい。この突出摘み部Ｐ３を設けることにより、消費者は本発明のウェッブコーナー型紙容器Ｃを使用した後に、このウェッブコーナー部Ｗを外側に折り込んで外面に貼り合せて固定していない側板１２の突出摘み部Ｐ３から汚れ防止用フィルムを剥がすことにより、誰もが、容易に、かつ、確実に汚れ防止用フィルムを剥がすことができる。
【００２４】
図７は、本発明によるウェッブコーナー型紙容器のさらに別の実施形態を示す斜視図である。本発明によるウェッブコーナー型紙容器Ｄは、ウェッブコーナー部Ｗを外側に折り込んで外面に貼り合せて固定していない側板１２の上部の略中央部に内面に貼合された汚れ防止用フィルムを剥がし始めるための剥離開始手段Ｐとして押し込み部Ｐ４を設けている。この押し込み部Ｐ４は、円形、長円形、三角形、四角形、Ｕ字形、Ｖ字形、山型等の形状とし、汚れ防止用フィルムＦ以外の層にミシン目による切れ目線ｐが入れられることにより形成される。この切れ目線ｐは、汚れ防止用フィルムＦ以外の層にミシン目以外に切れ刃等で入れることができる。この押し込み部Ｐ４を設けることにより、消費者は本発明のウェッブコーナー型紙容器Ｄを使用した後に、この押し込み部Ｐ４を指で押して汚れ防止用フィルムを剥がすきっかけを作り、この剥がした部分を取っ掛かりとしてウェッブコーナー部Ｗを外側に折り込んで外面に貼り合せて固定していない側板１２から汚れ防止用フィルムを剥がすことにより、誰もが、容易に、かつ、確実に汚れ防止用フィルムを剥がすことができる。
【００２５】
図８は、本発明によるウェッブコーナー型紙容器のさらに別の実施形態を示す斜視図である。本発明によるウェッブコーナー型紙容器Ｅは、ウェッブコーナー部Ｗを外側に折り込んで外面に貼り合せて固定していない側板１２の上部の略中央部に内面に貼合された汚れ防止用フィルムを剥がし始めるための剥離開始手段Ｐとしてフィルム押し込み部Ｐ５を設けている。このフィルム押し込み部Ｐ５は、汚れ防止用フィルム以外の層に窓状に切り込みを設け、汚れ防止用フィルムを押し剥がすためにその窓状の部分を一部露出させたものである。この切り込みの形状は、円形に限定されるものではなく、長円形、三角形、四角形等でもよい。このフィルム押し込み部Ｐ５を設けることにより、消費者は本発明のウェッブコーナー型紙容器Ｅを使用した後に、このフィルム押し込み部Ｐ５を指で押して汚れ防止用フィルムを剥がすきっかけを作り、この剥がした部分を取っ掛かりとしてウェッブコーナー部Ｗを外側に折り込んで外面に貼り合せて固定していない側板１２から汚れ防止用フィルムを剥がすことにより、誰もが、容易に、かつ、確実に汚れ防止用フィルムを剥がすことができる。
【００２６】
図９は、本発明によるウェッブコーナー型紙容器のさらに別の実施形態を示す斜視図である。本発明によるウェッブコーナー型紙容器Ｆは、ウェッブコーナー部Ｗを外側に折り込んで外面に貼り合せて固定していない側板１２の上部の略中央部内面に貼合された汚れ防止用フィルムを剥がし始めるための剥離開始手段Ｐとして剥離開始用テープＰ６を貼付している。剥離開始用テープＰ６は、一部を側板１２の内面の汚れ防止用フィルムに貼り合わせ、残りの部分を指で摘まめる形状としている。この剥離開始用テープＰ６を設けることにより、消費者は本発明のウェッブコーナー型紙容器Fを使用した後に、このウェッブコーナー部Ｗを外側に折り込んで外面に貼り合せて固定していない側板１２の剥離開始用テープＰ６から汚れ防止用フィルムを剥がすことにより、誰もが、容易に、かつ、確実に汚れ防止用フィルムを剥がすことができる。
【００２７】
図１０は、本発明によるウェッブコーナー型紙容器のさらに別の実施形態を示す斜視図である。本発明によるウェッブコーナー型紙容器Ｇは、上記のウェッブコーナー型紙容器Ａ〜Ｆの形状に加えて、ウェッブコーナー部Ｗを外側に折り込んで外面に貼り合せて固定していない側板１３、１３に延長片１８、１８を設けている。そして、その延長片１８の上辺あるいは上部に剥離開始手段Ｐをそれぞれ設けている。この剥離開始手段Ｐとしては、図１０に示すミシン目による摘み部Ｐ１以外に、上記のウェッブコーナー型紙容器Ｂ〜Ｆに用いたような摘み部Ｐ２、突出摘み部Ｐ３、押し込み部Ｐ４、フィルム押し込み部Ｐ５、剥離開始用テープＰ６等とすることができる。
【００２８】
図１１−ａは、本発明によるウェッブコーナー型紙容器のさらに別の実施形態を示す斜視図である。本発明によるウェッブコーナー型紙容器Ｈでは、図１１−ａに示すように、対向する一対の側板１２、１２の一つの側板１２の上縁の略中央部に内面に貼合された汚れ防止用フィルムを剥がし始めるための剥離開始手段Ｐを設けている上に、ウェッブコーナー部Ｗが外側に折り込んで外面に貼り合わされている側板１３、１３に、上辺から下辺の両端に至る二本の斜め折れ線ｘ、ｘををそれぞれ設けている。ウェッブコーナー型紙容器Ｈを使用した後に、汚れ防止用フィルムを剥離開始手段Ｐの部分から剥がす時、図２−ｂ、ｃ、ｄに示すように、汚れ防止用フィルムＦが側板１２から剥がれた後、ウェッブコーナー部Ｗの内側縁部を引っ張る。このため側板１３のウェッブコーナー部Ｗが貼られている部分が内側の方に折り曲がり、ウェッブコーナー部Ｗの隙間は益々広がり、汚れ防止用フィルムＦが剥がれ易くなる。その時、ウェッブコーナー部Ｗが貼られている側板１３に斜め折れ線ｘ、ｘを設けておくことにより、側板１３のウェッブコーナー部Ｗが貼られている部分が内側方向により折り曲げ易くなり、スムースにウェッブコーナー部Ｗの内側に貼られている汚れ防止用フィルムＦを剥がすことができ、従って、より容易に、ウェッブコーナー型紙容器Ｈから汚れ防止用フィルムＦを剥がすことができる。
【００２９】
この斜め折れ線ｘ、ｘは、側板１３、１３の上辺から下辺の両端に至るように設けられるが、本例のように、側板１３の外面に貼り合わされているウェッブコーナー部Ｗの折り返し線である縁線ｗに沿った側板１３の位置に設けることが、ウェッブコーナー部Ｗの部分が折り曲がりやすく、ウェッブコーナー部Ｗの汚れ防止用フィルムを剥がしやすくなり、好ましい。また、図１１−ｂに示すように、側板の略中央部から下辺の両端に至るように設けてもよく、この場合、ウェッブコーナー型紙容器の強度を低下させることが少ない。さらに、図１１−ｃに示すように、貼り合わせたウェッブコーナー部Ｗに隠れた側板１３の位置に設けてもよく、この場合、外観上目立たなくなる。
【００３０】
図１２は、本発明のウェッブコーナー型紙容器Ｈのブランクを示す展開図である。ブランク１０Ｈは、矩形の底板１１の上下に一対の対向する辺に折れ線ａ、ａを介して側板１２、１２を設け、左右にもう一対の対向する辺に折れ線ｂ、ｂを介して側板１３、１３を設けている。側板１２、１２の両側辺には放射状折れ線ｃ、ｃ、ｃ、ｃを介してそれぞれ三角形の折り込み片１４、１４、１４、１４を連設し、側板１３、１３の両側辺には放射状折れ線ｄ、ｄ、ｄ、ｄを介してそれぞれ三角形の折り込み片１５、１５、１５、１５を連設し、隣接する折り込み片同士を放射状折れ線ｅで連設し、この折り込み片同士を連接した部分をウェッブコーナー部Ｗとしている。また、対向する一対の側板１２、１２の一つの側板１２の上辺には折れ線ｆを介して蓋板１６を連設し、その蓋板１６の上辺には折れ線ｇを介して差し込み片１７を連設している。
【００３１】
また、本発明によるウェッブコーナー型紙容器Ｈでは、対向する一対の側板１２、１２の一つの側板１２の上縁の略中央部に内面に貼合された汚れ防止用フィルムを剥がし始めるための剥離開始手段Ｐを設けている上に、ウェッブコーナー部Ｗが外側に折り込んで外面に貼り合わされている側板１３、１３に、上辺の略中央点から下辺の両端に至る二本の斜め折れ線ｘ、ｘををそれぞれ設けている。さらに、他の対向する一対の側板１３、１３の外側の辺には折れ線ｈ、ｈを介してそれぞれ延長片１８、１８を連設している。この形態の場合、斜め折れ線ｘ、ｘを設けた側板１３、１３の上辺には、組み立てた時の保形性をよくするために延長片１８、１８を設けることが好ましい。
【００３２】
なお、上記の形態では、ウェッブコーナー部Ｗを側板１３、１３の外側に折り込んで外面に貼り合わせているが、図１３に示すウェッブコーナー型紙容器Ｉのように、ウェッブコーナー部Ｗを側板１２、１２の外側に折り込んで外面に貼り合わす形状としてもよく、その場合には、側板１３、１３に剥離開始手段Ｐ、Ｐを設け、斜め折れ線ｘ、ｘを側板１２、１２に設けることになる。図１４は、そのウェッブコーナー型紙容器Ｉのブランクを示す展開図である。
【００３３】
また、本発明によるウェッブコーナー型紙容器は、上記の実施形態例の記載に限定されることなく、本発明の要旨を逸脱しない範囲内で種々の変形が可能である。例えば、側板１２、１２、１３、１３の形状が上辺が広い台形としたトレー形状のウェッブコーナー型紙容器であるが、全側板を長方形とした直方体のウェッブコーナー型紙容器（図は省略する）としてもよい。
【００３４】
また、図１５に示すウェッブコーナー型紙容器Ｊのように、蓋板１６のない形状であってもよい。
【００３５】
本発明によるウェッブコーナー型紙容器の材料は、基材である板紙の内面に汚れ防止用フィルムが貼合された積層体を使用する。その板紙の範囲は広く、コートボール、マニラボール、ミルクカートン原紙、カップ原紙、段ボール等を使用することができる。坪量は紙容器のサイズによって変わるが、１５０〜４５０ｇ／ｍ2の範囲が好ましい。
【００３６】
また、汚れ防止用フィルムとしては、ポリエチレンフィルム、ポリプロピレンフィルム、ポリエステルフィルム、ポリアミドフィルム等を使用することができ、また、生分解性プラスチックフィルム（ポリ乳酸、ポリヒドロキシブチレート、ポリラクトカプトン、ポリブチレンサクシレート、ポリエチレンサクシネート、ポリビニルアルコール、酢酸セルロース等）も使用することができる。フィルムの選定に当たっては、公知の厚生省告示２０号告示に適合したフィルムを使用することが好ましい。
【００３７】
この汚れ防止用フィルムの貼り合わせは、ポリエチレン樹脂を使用して押出しラミネートして貼合する方法等である。
【００３８】
また、一般の紙容器と同様に、本発明のウェッブコーナー型Ａの表面には印刷が行われるが、オフセット、グラビア、フレキソ印刷等これまでに知られているいかなる方法を用いることができる。さらにオーバーコート、艶出し、エンボス等の後加工も自由に行うことができる。ただし、ウェッブコーナー部Ｗを貼り合せる部分はオーバーコート層等を除くことが好ましい。
【００３９】
つぎに、本発明のウェッブコーナー型紙容器Ａを作製する工程を説明する。この工程は、一般的なウェッブコーナー型紙容器を成形する工程と略同様であり、まず、紙と汚れ防止フィルムを貼り合せた積層体の表面、あるいは、表面および裏面に印刷、表面加工等を施す。この工程で、対向する一対の側板１２、１２の一つの側板１２の上縁の略中央部に内面に貼合された汚れ防止用フィルムを剥がし始めるための剥離開始手段Ｐを設ける。つぎに、打ち抜き工程で、図３に示すようなブランク１０Ａに打ち抜く、この工程で、対向する一対の側板１２、１２の一つの側板１２の上縁の略中央部に内面に貼合された汚れ防止用フィルムを剥がし始めるための剥離開始手段Ｐとして汚れ防止フィルム以外の層の部分にだけミシン目ｐによる摘み部Ｐ１を設けることができる。さらに、この工程で、側板１３、１３に、上辺の略中央点から下辺の両端に至る二本の斜め折れ線ｘ、ｘを設けることもできる。
【００４０】
また、ウェッブコーナー型紙容器Ｂにおいて、汚れ防止用フィルムを剥がし始めるための剥離開始手段Ｐとして汚れ防止フィルム以外の層の部分に切り欠けによる摘み部Ｐ２を設ける方法は、汚れ防止フィルムを貼り合わせて積層体とする前に、汚れ防止フィルム以外の層の部分に切り欠けを設けておき、その後に汚れ防止フィルムを貼り合せて材料となる積層体を作製し、この積層体を使用して、ウェッブコーナー型紙容器Ａと同様に、印刷、打ち抜き工程でブランクを作製する。
【００４１】
ついで、図１６−ａに示すように、各ウェッブコーナー部Ｗを放射状折れ線ｅで外側に折り込み、そして、図１６−ｂに示すように、このウェッブコーナー部Ｗを側板１３の側に折り曲げて、図１６−ｃに示すように、折り込み片１５を側板１３の外面に貼り合せる。この貼り合わせは、例えば、エマルジョン型接着剤、ホットメルト型接着剤等の周知の接着剤を使用して行うことができる。このように、各ウェッブコーナー部Ｗを側板１３、１３の外面に貼り合わせて固定して、ウェッブコーナー型紙容器Ａを形成する。また、ウェッブコーナー型紙容器Ａ′、Ｃ、Ｄ、Ｅ、Ｆ、Ｇ、Ｈ、Ｉ、Ｊもほぼ同様にして製造することができる。
【００４２】
このようにして作製した本発明によるウェッブコーナー型紙容器を使用した後、内面に貼り合わされた汚れ防止フィルムを剥がして紙と汚れ防止フィルムとに分別して紙を資源として再使用するために、汚れ防止フィルムを剥がす方法は、まず、側板１２の剥離開始手段Ｐとして設けられた摘み部１が設けられた部分から剥がし始める。つぎに、側板１２の部分を剥がした後、つづけて、ウェッブコーナーＷの部分を剥がす。この時、側板１２側から剥がすことによって、ウェッブコーナーＷの部分を容易に剥がすことができる。ついで、側板１３、１３の部分を剥がす。さらに、底板１１および残った側板１２の部分を剥がし、最後に、全体を剥がすことができる。
【図面の簡単な説明】
【００４３】
【図１】本発明のウェッブコーナー型紙容器の一実施形態を示す斜視図である。
【図２】本発明のウェッブコーナー型紙容器を使用後に処理する方法を説明する部分拡大図である。
【図３】図１の本発明のウェッブコーナー型紙容器のブランクを示す展開図である。
【図４】本発明のウェッブコーナー型紙容器の別の実施形態を示す斜視図である。
【図５】本発明のウェッブコーナー型紙容器のさらに別の実施形態を示す斜視図である。
【図６】本発明のウェッブコーナー型紙容器のさらに別の実施形態を示す斜視図である。
【図７】本発明のウェッブコーナー型紙容器のさらに別の実施形態を示す斜視図である。
【図８】本発明のウェッブコーナー型紙容器のさらに別の実施形態を示す斜視図である。
【図９】本発明のウェッブコーナー型紙容器のさらに別の実施形態を示す斜視図である。
【図１０】本発明のウェッブコーナー型紙容器のさらに別の実施形態を示す斜視図である。
【図１１】本発明のウェッブコーナー型紙容器のさらに別の実施形態を示す斜視図である。
【図１２】図１１の本発明のウェッブコーナー型紙容器のブランクを示す展開図である。
【図１３】本発明のウェッブコーナー型紙容器のさらに別の実施形態を示す斜視図である。
【図１４】図１３の本発明のウェッブコーナー型紙容器のブランクを示す展開図である。
【図１５】本発明のウェッブコーナー型紙容器のさらに別の実施形態を示す斜視図である。
【図１６】本発明のウェッブコーナー型紙容器の組み立て工程を説明する部分拡大図である。
【符号の説明】
【００４４】
Ａ〜Ｊ  本発明のウェッブコーナー型紙容器
１０Ａ  ブランク（ウェッブコーナー型紙容器Ａの）
１０Ｈ  ブランク（ウェッブコーナー型紙容器Ｈの）
１０Ｊ  ブランク（ウェッブコーナー型紙容器Ｊの）
１１    底板
１２    側板（上下）
１３    側板（左右）
１４    折り込み片
１５    折り込み片
１６    蓋板
１７    差し込み片
１８    延長片
１９    延長片
ａ、ｂ  折れ線
ｃ〜ｅ  放射状折れ線
ｆ〜ｉ  折れ線
Ｆ    汚れ防止フィルム
ｘ    斜め折れ線
Ｗ    ウェッブコーナー部
ｗ    縁線（ウェッブコーナー部）
Ｐ    剥離開始手段
Ｐ１  摘み部
Ｐ２  摘み部
Ｐ３  突出摘み部
Ｐ４  押し込み部
Ｐ５  フィルム押し込み部
Ｐ６  剥離開始用テープ
Ｋ    コーナー部
【図１】
0004629366.tif 000002
【図２】
0004629366.tif 000003
【図３】
0004629366.tif 000004
【図４】
0004629366.tif 000005
【図５】
0004629366.tif 000006
【図６】
0004629366.tif 000007
【図７】
0004629366.tif 000008
【図８】
0004629366.tif 000009
【図９】
0004629366.tif 000010
【図１０】
0004629366.tif 000011
【図１１】
0004629366.tif 000012
【図１２】
0004629366.tif 000013
【図１３】
0004629366.tif 000014
【図１４】
0004629366.tif 000015
【図１５】
0004629366.tif 000016
【図１６】
0004629366.tif 000017